(57)【要約】      （修正有）【課題】光源がない状態でもパターンを見ることのできる回折格子シートを提供する。【解決手段】可視パターンを有する回折格子シートは、透明基板１と、透明基板に設置される複数の不透明な回折格子フィルム２を有する。回折格子フィルムは、可視パターンを形成するための輪郭線またはドットパターンを有し、マイクロナノ構造の回折格子を有する。バックライトがなくとも、回折格子フィルムが可視パターンを形成するため、視認性及び広告性に優れている。また、バックライトがあるときは、回折格子フィルム上のマイクロナノ構造を透過することで、光点上にパターンを見ることができ、趣向性に優れている。【選択図】図１
0003227763.tif 000002
【実用新案登録請求の範囲】
【請求項１】
透明基板と、前記透明基板に設置される不透明な回折格子フィルムを有し、前記回折格子フィルムは、可視パターンを形成するための輪郭線またはドットパターンを有し、前記回折格子フィルムはマイクロナノ構造を有することを特徴とする可視パターンを有する回折格子シート。
【請求項２】
前記透明基板は、ガラスまたは透明なプラスチックフィルムであることを特徴とする請求項１に記載の可視パターンを有する回折格子シート。
【請求項３】
前記回折格子シートはさらに、前記透明基板またはパターンエリアのうちの少なくとも一方にコーティングされる印刷層を有することを特徴とする請求項１に記載の可視パターンを有する回折格子シート。
【請求項４】
前記マイクロナノ構造は、回折光学素子またはホログラフィック回折光学素子であることを特徴とする請求項１に記載の可視パターンを有する回折格子シート。
【請求項５】
前記回折格子シートはさらに、前記透明基板の背面に設置される光学接着材層を有することを特徴とする請求項１に記載の可視パターンを有する回折格子シート。
【請求項６】
前記回折格子シートはさらに、リリースフィルムを有し、前記透明基板は前記光学接着材層により前記リリースフィルム上に貼付されることを特徴とする請求項５に記載の可視パターンを有する回折格子シート。
【請求項７】
前記可視パターンは複数であり、前記複数の可視パターンは前記透明基板上に間隔を有して分布していることを特徴とする請求項１に記載の可視パターンを有する回折格子シート。
【考案の詳細な説明】
【技術分野】
【０００１】
本考案は、回折格子撮像技術を使用し形成された、可視パターンを有する回折格子シートに関するものである。
【背景技術】
【０００２】
既存の回折格子シートの大部分は光源を必要とする。光源を回折格子シートに照射することでパターンを表示することができるが、これは使用上の制限となる。また、既存の回折格子シートのパターンは、光またはレーザー投影の下でしか見ることができず、視覚的ではない。
【考案の概要】
【考案が解決しようとする課題】
【０００３】
本考案は、既存の技術の欠点を補うため、光源がない状態でもパターンを見ることのできる回折格子シートを提供することを目的とする。
【課題を解決するための手段】
【０００４】
本考案の可視パターンを有する回折格子シートは、透明基板と、前記透明基板に設置される複数の不透明な回折格子フィルムを有する。前記回折格子フィルムは、可視パターンを形成するための輪郭線またはドットパターンを有し、前記回折格子フィルム上にナノインプリント、ロールツーロール熱インプリント、コーティングまたはＵＶコーティングすることにより、マイクロナノ構造の回折格子が形成される。
【０００５】
別の好ましい実施形態においては、前記透明基板はガラスまたは透明なプラスチックフィルムである。
【０００６】
別の好ましい実施形態においては、前記回折格子シートはさらに印刷層を有する。前記印刷層は前記透明基板及び/またはパターンエリアのうちの少なくとも一方にコーティングされる。
【０００７】
別の好ましい実施形態においては、前記マイクロナノ構造の回折格子は回折光学素子またはホログラフィック回折光学素子である。
【０００８】
別の好ましい実施形態においては、前記可視パターンは複数であり、前記複数の可視パターンは前記透明基板上に間隔を有して分布している。
【０００９】
別の好ましい実施形態においては、前記回折格子シートはさらに光学接着材層を有する。前記光学接着材層は前記透明基板の背面に設置される。
【００１０】
別の好ましい実施形態においては、前記回折格子シートはさらにリリースフィルムを有する。前記透明基板は前記光学接着材層により前記リリースフィルム上に貼付される。
【考案の効果】
【００１１】
本考案によれば、輪郭線により可視パターンを形成する不透明な回折格子フィルムを透明基板上に設置することで、バックライトがなくとも、回折格子フィルムが可視パターンを形成するため、光やレーザーを照射せずともパターンをはっきり確認することができ、視認性及び広告性に優れている。また、バックライトがあるときは、回折格子フィルム上のマイクロナノ構造を透過することで、光点上にパターンを見ることができ、趣向性に優れている。本考案の回折格子シートは多方面での応用が利き、設置や場所にも制限はなく、産業利用性に富んでいる。
【００１２】
以下で、図面および実施例を用いて本考案について詳細な説明を行うが、本考案の範囲は実施例に限定されるものではない。
【図面の簡単な説明】
【００１３】
【図１】本考案の回折格子シートの好ましい実施形態を示す説明図である。
【図２】本考案の回折格子シートの好ましい実施形態を示す断面図である。
【図３】本考案の回折格子シートの別の好ましい実施形態を示す断面図である。
【考案を実施するための形態】
【００１４】
以下、本考案の技術内容を異なる実施例に基づいて説明する。なお、これらの実施例は説明のためのものであるため、本考案の技術的範囲を限定するものではない。
【００１５】
図１及び図２は、本考案の回折格子シートの好ましい実施例を示す説明図及び断面図である。本考案の可視パターンを有する回折格子シート１００は、透明基板１と、透明基板１上に設置される半透明の回折格子フィルム２を有する。
【００１６】
透明基板１は、本考案の回折格子シートのベースとなり、回折格子フィルム２を付着させるためのものである。透明基板１は、例えばこれに限定しないが、曲面又は平面のガラス又は透明なプラスチックフィルム（ポリエチレンテレフタレート、二軸延伸ポリプロピレン又は有色透明フィルム材料）等である。
【００１７】
回折格子フィルム２は、輪郭線又はナノ構造を配列することで形成される可視パターンを有する。回折格子フィルム２はその上に、ナノインプリント、ロールツーロール熱インプリント、コーティングまたはＵＶコーティングにより形成される回折光学素子、ホログラフィック回折光学素子を有する。前記ナノインプリントは例えば、マスター上のマイクロナノ構造に対しホットプレス成形することにより製造され、熱転写によりマスターを回折格子フィルム２上に転写する。回折光学素子により形成された格子パターンは、回折格子フィルム２の可視パターンと同一、類似または相関している。前記可視パターンは、図形、文字又はそれらの組み合わせであるが、これに限定されない。図１に示す実施例においては、山水画を例にしているが、これらのパターンの形状は本考案の技術的範囲を限定するものではない。別の好ましい実施形態においては、前記可視パターンは複数であり、前記複数の可視パターンは透明基板１上に間隔を有して分布しているが、本考案においてはこれに限定しない。好ましい実施形態においては、透明基板１はその上に、図形を表現するのに用いる印刷層３をコーティングする。本実施例においては文字を例にしているが、これに限定しない。別の好ましい実施形態においては、前記印刷層は前記可視パターン上にコーティングしてもよく、本考案においてはこれに限定しない。バックライトがないときは、半透明の回折格子フィルム２と透明基板１が区別されて見える。一般的な回折格子は全体が半透明又は半透明なドットパターンの面に配置されるため、広告性及び視認性がなく、異なるナノ構造の回折格子を一緒に置くと、回折格子が表す画像を判別することができなくなる。さらに、前述の画像エリア上の回折光学素子を通ることで、光点上に回折格子のパターンを視認することができる。これら印刷層３は必ずしも必要な構成ではないことを付け加えておく。
【００１８】
続いて、本考案の別の好ましい実施形態について説明する。図３は、本考案の回折格子シートの別の好ましい実施形態を示す断面図である。
【００１９】
使用上の利便性のために、別の好ましい実施形態においては、回折格子シート２００はさらに光学接着剤層４とリリースフィルム５を有する。光学接着剤層４は透明基板１の背面に設置される。透明基板１は光学接着材層４によりリリースフィルム５上に貼付される。使用する際は、リリースフィルム５をはがし、光学接着剤層４により透明基板１を物体の表面上に貼付する。これら光学接着剤層４及びリリースフィルム５は必ずしも必要な構成ではないことを付け加えておく。
【００２０】
本考案によれば、輪郭線により可視パターンを形成する不透明な回折格子フィルムを透明基板上に設置することで、バックライトがなくとも、回折格子フィルムが可視パターンを形成するため、光やレーザーを照射せずともパターンをはっきり確認することができ、可視性に優れている。また、バックライトがあるときは、回折格子フィルム上のマイクロナノ構造を透過することで、光点上にパターンを見ることができ、趣向性に優れている。本考案の回折格子シートは多方面での応用が利き、設置や場所にも制限はなく、産業利用性に富んでいる。
【００２１】
以上、本考案の可視パターンを有する回折格子シートについて詳細に説明したが、上述したのはあくまでも一実施形態であり、本考案は更に別の態様でも実施でき、その主旨を逸脱しない範囲で種々変更を加え得るものであり、それらは全て本考案の範囲内である。
【符号の説明】
【００２２】
１００  回折格子シート
１  透明基板
２  回折格子フィルム
３  印刷層
４  光学接着剤層
５  リリースフィルム
２００  回折格子シート
【図１】
0003227763.tif 000003
【図２】
0003227763.tif 000004
【図３】
0003227763.tif 000005